(57)【特許請求の範囲】
【請求項１】
記録媒体を用いて遊技者に遊技媒体を貸し出すための処理を行なう機能を有し接地部を有する記録媒体処理装置に電気的に接続可能であり、遊技媒体を貸し出す操作が行われたときに遊技媒体を払い出す払出装置が備えられ、遊技者が遊技媒体を用いて所定の遊技を行う遊技機であって、
導電性を有する合成樹脂からなる導電性合成樹脂部材が所定部位に配置されるとともに、前記導電性合成樹脂部材が電気的に接地されるように接地接続部が設けられ、
前記記録媒体処理装置と通信を行うための配線ケーブルが接続される基板を備え、
前記基板に、
前記接地接続部に電気的に接続される第１のコネクタと、
前記第１のコネクタと電気的に接続され、前記記録媒体処理装置の前記接地部に前記配線ケーブルを介して電気的に接続される第２のコネクタとが設けられた
ことを特徴とする遊技機。
【請求項２】
記録媒体を用いて遊技者に遊技媒体を貸し出すための処理を行なう機能を有し接地部を有する記録媒体処理装置に電気的に接続可能であり、遊技媒体を貸し出す操作が行われたときに遊技媒体を払い出す払出装置が備えられ、遊技者が遊技媒体を用いて所定の遊技を行う遊技機であって、
遊技媒体と接触可能な位置に導電性を有する金属部材が配置され、
前記金属部材と電気的に接続され、導電性を有する合成樹脂からなる導電性合成樹脂部材が配置され、
前記導電性合成樹脂部材が電気的に接地されるように接地接続部が設けられ、
前記記録媒体処理装置と通信を行うための配線ケーブルが接続される基板を備え、
前記基板に、
前記接地接続部に電気的に接続される第１のコネクタと、
前記第１のコネクタと電気的に接続され、前記記録媒体処理装置の前記接地部に前記配線ケーブルを介して電気的に接続される第２のコネクタとが設けられた
ことを特徴とする遊技機。
【請求項３】
導電性合成樹脂部材は、遊技媒体と接触しない位置に配置された金属部材と電気的に接続され、
前記金属部材が電気的に接地されるように前記接地接続部を設けた
請求項１または請求項２記載の遊技機。
【請求項４】
導電性合成樹脂部材は、遊技者に払い出される遊技媒体を貯留する貯留タンクを含む
請求項１ないし請求項３記載の遊技機。
【請求項５】
導電性合成樹脂部材は、遊技者に払い出された遊技媒体を貯留する貯留部に遊技媒体を誘導する樋部材を含む
請求項１ないし請求項４記載の遊技機。
【請求項６】
導電性合成樹脂部材は、遊技媒体を払い出す払出装置の外郭を形成するケース体を含む
請求項１ないし請求項５記載の遊技機。
【請求項７】
導電性合成樹脂部材の電気的抵抗は、金属部材の電気的抵抗よりも大きい
請求項１ないし請求項６記載の遊技機。
【請求項８】
導電性合成樹脂部材は、カーボンを含有した導電性合成樹脂からなる
請求項１ないし請求項７記載の遊技機。
【発明の詳細な説明】
【０００１】
【発明の属する技術分野】
本発明は、遊技者の操作に応じて遊技が行われる遊技機に関し、特に、遊技に応じて遊技媒体を払い出すように構成されている遊技機に関する。
【０００２】
【従来の技術】
遊技機として、遊技球を発射装置によって遊技領域に発射し、遊技領域に設けられている入賞口などの入賞領域に遊技球が入賞すると、所定個の遊技球が賞球として遊技者に払い出される遊技機がある。遊技機は、入賞に応じて賞球払出を行うので、少なくとも賞球払出を行うことができる払出機構を備えている必要がある。
【０００３】
また、遊技者は、遊技球を借り出し、借り出した遊技球および入賞に応じて払い出された遊技球を用いて遊技を行う。その際、遊技者からの遊技球貸し要求はカードユニット等の貸出要求処理装置で一旦受け付けられ、遊技機の貸出制御手段は貸出要求処理装置と通信することによって遊技者からの貸出要求を受け付ける。そして、貸出管理手段が、払出機構を制御して遊技球の貸出を行う。あるいは、コイン投入に応じて遊技球を払い出す球貸し機にコインを投入することによって、遊技者が球貸し機から遊技球を借り出すことを前提とした遊技機もある。
【０００４】
遊技店における各遊技機の払出機構に対する遊技球の補給は、一般に、遊技店における遊技機設置島に備えられているいる補給機構から一括して行われる。すなわち、遊技機外部から遊技球の補給がなされる。遊技機外部から補給された遊技球は、遊技機内部に設けられている払出機構まで誘導される必要があるが、外部から補給された遊技球は遊技機における上部に設置された貯留タンクに貯留され、貯留タンクから払出機構に流下する構造がとられることが多い。さらに、払出機構から払い出された遊技球を、払出機構から遊技機前面に設けられている皿貯留部に流下させる構造が採用されることが多い。遊技機のコスト低減や軽量化の要請から、遊技球の流下路は合成樹脂製の流路で実現される。
【０００５】
すると、遊技球と流下路との間の摩擦等によって遊技球が帯電し、遊技球間で放電現象を生ずる可能性がある。そして、放電によって、遊技機に設けられている各種電気部品および基板の信号線や電源線にノイズが乗ることがある。その結果、ノイズによって、誤動作が生じたり、信号エラーが生じたりする場合がある。
【０００６】
【発明が解決しようとする課題】
補給路における遊技球の帯電を防止するために、遊技球の流下路が設けられている機構板の球通路部分等に金属等の導体板を設置して導体板を接地（アース）する構造が採用されていた。しかし、金属等の導体板を設置すると機構板の重量が大きくなったり、遊技機の組立工程が煩雑になるといった問題がある。さらに、接地された金属等の導体板に遊技球が接触する際に、遊技球と導体板との間で急激に電荷の移動が生じノイズが発生する可能性もある。
【０００７】
そこで、本発明は、遊技媒体の払出機構を備えた遊技機において、球の流路を構成する部材と遊技球との間の大きな放電を防止しつつ、遊技機内の経路を通過する遊技媒体が帯電しても電荷を効果的に放出させてノイズの発生を防止することを目的とする。
【０００８】
【課題を解決するための手段】
本発明による遊技機は、記録媒体を用いて遊技者に遊技媒体を貸し出すための処理を行なう機能を有し接地部を有する記録媒体処理装置に電気的に接続可能であり、遊技媒体を貸し出す操作が行われたときに遊技媒体を払い出す払出装置が備えられ、遊技者が遊技媒体を用いて所定の遊技を行う遊技機であって、導電性を有する合成樹脂からなる導電性合成樹脂部材が所定部位に配置されるとともに、導電性合成樹脂部材に、導電性合成樹脂部材が電気的に接地されるように接地接続部が設けられ、記録媒体処理装置と通信を行うための配線ケーブルが接続される基板を備え、基板に、接地接続部に電気的に接続される第１のコネクタと、第１のコネクタと電気的に接続され、記録媒体処理装置の接地部に配線ケーブルを介して電気的に接続される第２のコネクタとが設けられたことを特徴とする。
【０００９】
本発明の他の態様の遊技機は、記録媒体を用いて遊技者に遊技媒体を貸し出すための処理を行なう機能を有し接地部を有する記録媒体処理装置に電気的に接続可能であり、遊技媒体を貸し出す操作が行われたときに遊技媒体を払い出す払出装置が備えられ、遊技者が遊技媒体を用いて所定の遊技を行う遊技機であって、遊技媒体と接触可能な位置に導電性を有する金属部材が配置され、金属部材と電気的に接続される部材であって導電性を有する合成樹脂からなる導電性合成樹脂部材が配置され、導電性合成樹脂部材が電気的に接地されるように接地接続部が設けられ、記録媒体処理装置と通信を行うための配線ケーブルが接続される基板を備え、基板に、接地接続部に電気的に接続される第１のコネクタと、第１のコネクタと電気的に接続され、記録媒体処理装置の接地部に配線ケーブルを介して電気的に接続される第２のコネクタとが設けられたことを特徴とする。
【００１０】
導電性合成樹脂部材が遊技媒体と接触しない位置に配置された金属部材と電気的に接続され、接地接続部を、金属部材が電気的に接地されるように設けた構成としてもよい。
【００１１】
導電性合成樹脂部材は、例えば、遊技者に払い出される遊技媒体を貯留する貯留タンクを含む。
【００１２】
導電性合成樹脂部材は、例えば、遊技者に払い出された遊技媒体を貯留する貯留部に遊技媒体を誘導する樋部材を含む。
【００１３】
導電性合成樹脂部材は、例えば、遊技媒体を払い出す払出装置の外郭を形成するケース体を含む。
【００１４】
導電性合成樹脂部材の電気的抵抗は金属部材の電気的抵抗よりも大きい。
【００１５】
導電性合成樹脂部材は、例えば、カーボンを含有した導電性合成樹脂からなるものである。
【００１６】
【発明の実施の形態】
以下、本発明の一実施形態を図面を参照して説明する。
まず、遊技機の一例であるパチンコ遊技機の全体の構成について説明する。図１はパチンコ遊技機１を正面からみた正面図である。なお、ここでは、遊技機の一例としてパチンコ遊技機を示すが、本発明はパチンコ遊技機に限られず、例えばスロット機であってもよい。
【００１７】
パチンコ遊技機１は、縦長の方形状に形成された外枠（図示せず）と、外枠の内側に開閉可能に取り付けられた遊技枠とで構成される。また、パチンコ遊技機１は、遊技枠に開閉可能に設けられている額縁状に形成されたガラス扉枠２を有する。遊技枠は、外枠に対して開閉自在に設置される前面枠（図示せず）と、機構部品等が取り付けられる機構板と、それらに取り付けられる種々の部品（後述する遊技盤を除く。）とを含む構造体である。また、遊技球を払い出すための通路が設けられている機構部は、機構板およびそれに取り付けられている部品を含む。
【００１８】
図１に示すように、ガラス扉枠２の下部表面には打球供給皿（貯留部）３がある。打球供給皿３の下部には、打球供給皿３からあふれた遊技球を貯留する余剰玉受皿４と打球を発射する打球操作ハンドル（操作ノブ）５が設けられている。ガラス扉枠２の後方には、遊技盤６が着脱可能に取り付けられている。なお、遊技盤６は、それを構成する板状体と、その板状体に取り付けられた種々の部品とを含む構造体である。また、遊技盤６の前面には遊技領域７が形成されている。
【００１９】
遊技領域７の中央付近には、複数種類の図柄を可変表示するための可変表示部（特別図柄表示装置）９が設けられている。可変表示部９には、例えば「左」、「中」、「右」の３つの図柄表示エリアがある。可変表示部９の下方には、始動入賞口１４が設けられている。始動入賞口１４に入った入賞球は、遊技盤６の背面に導かれ、始動口スイッチ（図示せず）によって検出される。また、始動入賞口１４の下部には開閉動作を行う可変入賞球装置１５が設けられている。可変入賞球装置１５は、ソレノイド（図示せず）によって開状態とされる。
【００２０】
可変入賞球装置１５の下部には、特定遊技状態（大当り状態）においてソレノイド（図示せず）によって開状態とされる開閉板２０が設けられている。この実施の形態では、開閉板２０が大入賞口を開閉する手段となる。開閉板２０から遊技盤６の背面に導かれた入賞球のうち一方（Ｖゾーン）に入った入賞球はＶ入賞スイッチ（図示せず）で検出される。また、開閉板２０からの入賞球はカウントスイッチ（図示せず）で検出される。可変表示部９の下部には、始動入賞口１４に入った入賞球数を表示する４個の表示部を有する特別図柄始動記憶表示器１８が設けられている。この例では、４個を上限として、始動入賞がある毎に、特別図柄始動記憶表示器１８は点灯している表示部を１つずつ増やす。そして、可変表示部９の可変表示が開始される毎に、点灯している表示部を１つ減らす。
【００２１】
遊技盤６には、複数の入賞口１９，２４，３２，３３が設けられ、遊技球のそれぞれの入賞口１９，２４，３２，３３への入賞は、対応して設けられている入賞口スイッチ（図示せず）によって検出される。遊技領域７における下部には、入賞しなかった打球を吸収するアウト口２６がある。
【００２２】
入賞口３２に遊技球が入賞すると、７セグメントＬＥＤによる普通図柄表示器１０の表示の可変表示が開始される。そして、普通図柄表示器１０における停止図柄が所定の図柄（当り図柄）である場合に、可変入賞球装置１５が所定時間だけ開状態になる。普通図柄表示器１０の近傍には、入賞口３２に入った入賞球数を表示する４個の表示部を有する普通図柄始動記憶表示器４１が設けられている。この例では、４個を上限として、入賞口３２への入賞がある毎に、普通図柄始動記憶表示器４１は点灯している表示部を１つずつ増やす。そして、可変入賞球装置１５の開放が開始される毎に、点灯している表示部を１つ減らす。
【００２３】
また、遊技領域７の外側の左右上部のガラス扉枠２には、効果音や音声を発する２つのスピーカ２７が設けられている。遊技領域７の外周のガラス扉枠２には、天枠ランプ２８ａ、左枠ランプ２８ｂおよび右枠ランプ２８ｃが設けられている。
【００２４】
そして、この例では、左枠ランプ２８ｂの近傍に、賞球の払出残があるときに点灯する賞球ランプ５１が設けられ、天枠ランプ２８ａの近傍に、補給球が切れたときに点灯する球切れランプ５２が設けられている。さらに、図１には、パチンコ遊技機１に隣接して設置され、プリペイドカードが挿入されることによって球貸しを可能にするカードユニット５０も示されている。
【００２５】
カードユニット５０には、使用可能状態であるか否かを示す使用可表示ランプ１５１、カードユニット５０がいずれの側のパチンコ遊技機１に対応しているのかを示す連結台方向表示器１５３、カードユニット５０内にカードが投入されていることを示すカード投入表示ランプ１５４、記録媒体としてのカードが挿入されるカード挿入口１５５、およびカード挿入口１５５の裏面に設けられているカードリーダライタの機構を点検する場合にカードユニット５０を解放するためのカードユニット錠１５６が設けられている。
【００２６】
打球発射装置から発射された金属製の遊技球は、打球レールを通って遊技領域７に入り、その後、遊技領域７を下りてくる。打球が始動入賞口１４に入り始動口スイッチ１７で検出されると、図柄の変動を開始できる状態であれば、可変表示部９内の図柄が回転を始める。図柄の変動を開始できる状態でなければ、始動入賞記憶を１増やす。
【００２７】
可変表示部９内の画像の回転は、一定時間が経過したときに停止する。停止時の画像の組み合わせが大当り図柄の組み合わせであると、大当り遊技状態に移行する。すなわち、開閉板２０が、一定時間経過するまで、または、所定個数（例えば１０個）の打球が入賞するまで開放する。そして、開閉板２０の開放中に打球が特定入賞領域に入賞しＶ入賞スイッチで検出されると、継続権が発生し開閉板２０の開放が再度行われる。継続権の発生は、所定回数（例えば１５ラウンド）許容される。
【００２８】
停止時の可変表示部９内の画像の組み合わせが確率変動を伴う大当り図柄の組み合わせである場合には、次に大当りとなる確率が高くなる。すなわち、高確率状態という遊技者にとってさらに有利な状態となる。
【００２９】
打球が入賞口３２に入賞するると、普通図柄表示器１０の表示数字が連続的に変化する状態になる。また、普通図柄表示器１０における停止図柄が所定の図柄（当り図柄）である場合に、可変入賞球装置１５が所定時間だけ開状態になる。さらに、高確率状態では、普通図柄表示器１０における停止図柄が当り図柄になる確率が高められるとともに、可変入賞球装置１５の開放時間と開放回数が高められる。
【００３０】
図２は、ガラス扉枠２を取り外した状態での遊技盤６の前面を示す正面図である。発射装置から発射された金属製の遊技球は、ステンレススチール製の発射レール２０１の上を進み、遊技盤６に設置されている円周状のステンレススチール製の外レール２０２に渡り、外レール２０２に誘導されて遊技領域７に進入する。また、遊技盤６には、ステンレススチール製の内レール２０３が、外レール２０２とともに遊技領域７を囲むように設置されている。外レール２０２と内レール２０３とを接合している接合部材２０４は、ステンレススチール等の導電性部材で形成されている。従って、外レール２０２と内レール２０３とは、電気的に導通している。
【００３１】
ガラス扉枠２の裏面（遊技盤側）には、ガラス扉枠２が閉じられた状態で外レール２０２と接触する金属板が設置されている。また、ステンレススチール製の発射レール２０１は溝状に形成され、溝の一方の壁部分は、ガラス扉枠２が閉じられた状態で、ガラス扉枠２に設置されている金属板に接触するようになっている。従って、発射レール２０１と外レール２０２とは、ガラス扉枠２が閉じられた状態では電気的に導通している。従って、遊技が行われる状態では、発射レール２０１と外レール２０２および内レール２０３とは電気的に導通している。
【００３２】
さらに、発射レール２０１の一部に、配線（例えば被覆銅線、以下の配線も同様）２０５を接続するための接続部（例えば、配線２０５の端部に設けられている金具をねじ止めするような構造）が設けられている。配線２０５は、直接に、または他の導電性の部材を介して、後述する機構板の受け金具に接続される。後述するように、機構板の受け金具は、直接に、または他の導電性の部材を介して接地される。従って、発射装置から発射された遊技球が接触する発射レール２０１、外レール２０２および内レール２０３は接地されていることになる。打球レール（発射レール２０１、外レール２０２および内レール２０３）において、発射レール２０１、外レール２０２および内レール２０３に接する遊技球の電位は、発射レール２０１、外レール２０２および内レール２０３と同電位になるので、遊技球の帯電は防止される。その結果、放電によってノイズが生ずることが防止される。
【００３３】
また、遊技領域７を流下しているときの遊技球の帯電を防止する機構を設けてもよい。例えば、遊技盤６の表面の木材部材の下層に金属板等の導電性部材を積層し、遊技領域に多数打ち込まれている釘を導電性部材に接触させる。そして、その導電性部材を接地することによって、遊技領域７に設けられている釘、打球レールおよび遊技球を同電位にすることができる。よって、放電防止効果が増進する。さらに、遊技領域７に設けられている風車、各入賞球装置、飾り部材等を導電性の合成樹脂で形成してもよい。
【００３４】
図３は、遊技機を裏面から見た背面図である。図４は、各種部材が取り付けられた機構板を遊技機背面側から見た背面図である。図５は、機構板を遊技機表側の斜め方向から見た斜視図である。
【００３５】
この実施の形態では、機構板のベース体３６として、ステンレス繊維を６重量％含有するＡＢＳ樹脂の板が用いられている。従って、機構板のベース体３６は導電性を有する。図３〜図５に示すように、パチンコ遊技機１の裏面では、機構板の上部に貯留タンク３８が設けられている。そして、パチンコ遊技機１が遊技機設置島に設置された状態でその上方から遊技球が貯留タンク３８に供給される。図３および図４に示すように、貯留タンク３８内の遊技球は、誘導レール３９を通って賞球ケース４０Ａで覆われる球払出装置に至る。貯留タンク３８から傾斜して横方向に延びる誘導レール３９は、途中で屈曲し、さらに２条に分かれて球払出装置に至る。
【００３６】
ステンレス繊維を含有する合成樹脂として、ベースとしての合成樹脂に直径６〜１０μｍの極細のステンレス繊維をフィラーとして添加した合成樹脂を使用可能である。極細のステンレス繊維を使用しているので、少ない添加量で、温度や湿度の環境変化に対しても変わらない導電性を発揮することができる。当然、防錆性にも優れている。ベースとしての合成樹脂として種々の熱可塑性樹脂を使用することができる。ベースとしてＡＢＳ樹脂を用いフィラーとしてのステンレス繊維を６重量％添加すると、ステンレス繊維を６重量％含有するＡＢＳ樹脂を得ることができる。ベースとしてポリカーボネートを使用すれば、ステンレス繊維を含有するポリカーボネートを得ることができる。
【００３７】
また、ステンレス繊維を含有する合成樹脂は、フィラーとしてカーボンのみを用いたカーボン含有樹脂に比べて難燃性が高い。パチンコ遊技機の設置環境は喫煙環境下であることが多い。また、遊技機内部や遊技機設置島と遊技機との間には多数の電気配線が存在するので短絡等による発火の可能性も否定できない。従って、遊技機において、難燃性の高い部材を使用することは、遊技機の安全性をより高めることになる。また、ステンレス繊維を含有する合成樹脂は、フィラーとしてカーボンのみを用いたカーボン含有樹脂に比べて比抵抗が低い。従って、高い導電性を得ることができ、接触する遊技球の帯電防止のために効果的である。
【００３８】
図３に示すように、遊技機裏面側では、可変表示部９を制御する図柄制御基板を含む可変表示制御ユニット２９、遊技制御用マイクロコンピュータ等が搭載された遊技制御基板（主基板）３１が設置されている。また、球払出制御を行う払出制御用マイクロコンピュータ等が搭載された払出制御基板３７が設置されている。さらに、遊技盤６に設けられている各種飾りＬＥＤ、特別図柄始動記憶表示器１８および普通図柄始動記憶表示器４１、枠側に設けられている天枠ランプ６０ａ、左枠ランプ６０ｂ、右枠ランプ６０ｃ、賞球ランプ５１および球切れランプ５２に信号を送るためのランプ制御基板３５、スピーカ２７からの音発生を制御するための音制御基板７０も設けられている。また、また、ＤＣ３０Ｖ、ＤＣ２１Ｖ、ＤＣ１２ＶおよびＤＣ５Ｖを作成する電源回路が搭載された電源基板９１０が設けられている。
【００３９】
貯留タンク３８に貯留された遊技球は誘導レール３９を通り、図４に示されるように、球供給樋１８６ａ，１８６ｂを経て球払出装置に至る。球払出装置の上部には、球切れスイッチ１８７が設けられている。球切れスイッチ１８７が球切れを検出すると、球払出装置の払出動作が停止する。球切れスイッチ１８７は遊技球通路内の遊技球の有無を検出するスイッチであるが、貯留タンク３８内の補給球の不足を検出する球切れ検出スイッチ１６７も誘導レール３９における上流部分（貯留タンク３８に近接する部分）には設けられている。球切れ検出スイッチ１６７が遊技球の不足を検知すると、遊技機設置島に設けられている補給機構から遊技機に対して遊技球の補給が行われる。
【００４０】
球払出装置から払い出された遊技球は、連絡口４５および誘導樋（樋部材）２０６を通ってパチンコ遊技機１の前面に設けられている打球供給皿（上皿）３に誘導される。連絡口４５の側方には、パチンコ遊技機１の前面に設けられている余剰玉受皿（下皿）４に連通する余剰玉通路４６が形成されている。
【００４１】
入賞にもとづく景品としての遊技球や球貸し要求にもとづく遊技球が多数払い出されて打球供給皿３が満杯になり、ついには遊技球が連絡口４５に到達した後さらに遊技球が払い出されると、遊技球は、余剰玉通路４６を経て余剰玉受皿４に導かれる。さらに遊技球が払い出されると、感知レバー４７が満タンスイッチ４８を押圧して満タンスイッチ４８がオンする。その状態では、球払出装置内の払出モータの回転が停止して球払出装置の動作が停止するとともに発射装置の駆動も停止する。
【００４２】
図４に示すように、球払出装置の側方には、球供給樋１８６ａ，１８６ｂから遊技機下部の排出口１９２に至る球抜き通路１９１が形成されている。球抜き通路１９１の上部には球抜きレバー１９３が設けられ、球抜きレバー１９３が遊技店員等によって操作されると、誘導レール３９から球抜き通路１９１への遊技球通路が形成され、貯留タンク３８内に貯留されている遊技球は、排出口１９２から遊技機外に排出される。
【００４３】
機構板の側部（図４に示す例では、球抜き通路１９１の近傍）には、貯留タンク３８の位置付近から上皿への連絡口４５の位置付近まで高さ方向に延びるステンレススチール製の金具２０９が設置されている。機構板のベース体３６は導電性を有しているので、金具２０９が機構板のベース体３６に設置されることによって、機構板のベース体３６と金具２０９とは電気的に導通していることになる。
【００４４】
この実施の形態では、カードユニット５０からの信号は全て払出制御基板３７に入力される構成になっている。従って、球貸し制御に関して、カードユニット５０から主基板３１に信号が入力されることはなく、主基板３１にカードユニット５０の側から不正に信号が入力される余地はない。また、カードユニット５０で用いられる電源電圧ＡＣ２４Ｖは払出制御基板３７から供給される。よって、遊技機とカードユニット５０との接続は簡便であり、例えば、図３に示すように、払出制御基板３７に設置されたコネクタ２０８から延伸するケーブル（図示せず）のみがカードユニット５０に接続され、遊技機内のその他の基板とカードユニット５０とを接続する必要はない。
【００４５】
一般に、カードユニット５０は接地線を介して接地されているので、遊技機側の接地必要箇所をカードユニット５０のＦＧ（フレームグラウンド）端子に接続すれば、容易に遊技機側の接地必要箇所を接地することができる。この実施の形態では、金具２０９と電気的に接続されるコネクタ２０７が払出制御基板３７に設けられている（図３参照）。コネクタ２０７から延びる配線２１６は金具２０９に接続される（図５参照）。そして、払出制御基板３７において、金具２０９と電気的に接続されている線はコネクタ２０８に接続される。コネクタ２０８およびケーブルを介して、金具２０９と電気的に接続されている線は、カードユニットのＦＧ端子に接続される。従って、導電性の貯留タンク３８および機構板の金具２０９は、カードユニット５０を介して接地される。金具２０９におけるコネクタ２０８からの配線を接続する部分は、接地接続部に相当する。
【００４６】
この実施の形態では、貯留タンク３８は、カーボンを８重量％含有したＡＢＳ樹脂で形成されている。従って、貯留タンク３８は導電性を有する。また、貯留タンク３８の遊技機正面側の一部には金属製のアース板（金属板）２１８が取り付けられている。アース板２１８は、貯留タンク３８に貯留されている遊技球と接触可能である。従って、遊技球の電位は、貯留タンク３８に貯留されているときにアース板２１８の電位と同じになる。さらに、貯留タンク３８におけるアース板２１８以外の部分はカーボンを含有した合成樹脂で導電性を有するので、遊技球の電位は、貯留タンク３８全体の電位と同じになる。さらに、遊技店において、遊技球は遊技機設置島に設けられている補給路を通ってから遊技機の貯留タンク３８に補給されるので、貯留タンク３８に補給される前に既に遊技球が帯電していることが多い。しかし、貯留タンク３８が、カーボンを含有する導電性合成樹脂で形成され、かつ、接地されているので、遊技球の電荷は貯留タンク３８を介してアース側に逃げ遊技機の帯電が解消される。
【００４７】
また、誘導レール３９や球供給樋１８６ａ，１８６ｂは、ステンレス繊維を６重量％含有するＡＢＳ樹脂で形成されている。さらに、打球供給皿（上皿）３、余剰玉受皿（下皿）４、余剰玉通路４６および球抜き通路１９１等も、ステンレス繊維を含有する合成樹脂で形成されていることが好ましい。すなわち、機構部における遊技球が通過する全ての経路がステンレス繊維を含有する合成樹脂で形成されていることが好ましい。
【００４８】
図４に示すように、貯留タンク３８の側部には、配線２１１を接続するための接地接続部としての接続部（例えば、配線２１１の端部に設けられている金具をねじ止めするような構造）２１２が設けられている。また、図５に示すように、配線２１１は、接続部２１３によって機構板の金具２０９に接続される。金具２０９は、カードユニット５０を介して接地されるので、貯留タンク３８の電位も接地レベルになる。
【００４９】
図６は、機構板の下部を示す部分斜視図である。この実施の形態では、遊技球を遊技機前面の打球供給皿３に導くための誘導樋２０６は、カーボンを８重量％含有したＡＢＳ樹脂で形成されている。従って、誘導樋２０６は導電性を有する。また、誘導樋２０６の近傍において流下した遊技球が接触可能な位置には、誘導樋２０６と接触する金属製のアース板（金属板）２２１が設置されている。従って、誘導樋２０６を流れる遊技球の電位は、誘導樋２０６およびアース板２２１の電位と同じになる。
【００５０】
図６に示すように、機構板の金具２０９には、金属製の受け金具２２２が取り付けられている。誘導樋２０６と受け金具２２２との間には配線２２４が這わされ、誘導樋２０６には配線２２４を接続するための接地接続部としての接続部（例えば、配線２２４の端部に設けられている金具をねじ止めするような構造）２２３が設けられ、受け金具２２２には配線２２４を接続するための接続部（例えば、配線２２４の端部に設けられている金具をねじ止めするような構造）２２５が設けられている。
【００５１】
この実施の形態では、発射レールからの配線２０５（図２参照）は誘導樋２０６に接続されている。誘導樋２０６は導電性であり、かつ、受け金具２２２、金具２０９および払出制御基板３７を介してカードユニット５０のＦＧ端子に接続される。よって、誘導樋２０６の電位も接地レベルになっている。
【００５２】
図７は、球払出装置の構成例を示す分解斜視図である。この例では、賞球ケース４０Ａとしての３つのケース１４０，１４１，１４２の内部に球払出装置が形成されている。ケース１４０，１４１の上部には、球供給樋１８６ａ，１８６ｂと連通する穴１７０，１７１が設けられ、遊技球は、穴１７０，１７１から球払出装置に流入する。
【００５３】
球払出装置は駆動源となる払出モータ（例えばステッピングモータ）２８９を含む。払出モータ２８９の回転力は、払出モータ２８９の回転軸に嵌合しているギア２９０に伝えられ、さらに、ギア２９０と噛み合うギア２９１に伝えられる。ギア２９１の中心軸には、凹部を有するスプロケット２９２が嵌合している。穴１７０，１７１から流入した遊技球は、スプロケット２９２の凹部によって、スプロケット２９２の下方の球通路２９３に１個ずつ落下させられる。
【００５４】
球通路２９３には遊技球の流下路を切り替えるための振分部材３１１が設けられている。振分部材３１１はソレノイド３１０によって駆動され、賞球払出時には、球通路２９３における一方の流下路を遊技球が流下するように倒れ、球貸し時には球通路２９３における他方の流下路を遊技球が流下するように倒れる。なお、払出モータ２８９およびソレノイド３１０は、払出制御基板３７に搭載されている払出制御用ＣＰＵによって制御される。また、払出制御用ＣＰＵは、主基板３１に搭載されている遊技制御用のＣＰＵからの指令に応じて払出モータ２８９およびソレノイド３１０を制御する。
【００５５】
賞球払出時に選択される流下路の下方には球払出装置によって払い出された遊技球を検出する賞球センサ３０１Ａが設けられ、球貸し時に選択される流下路の下方には球払出装置によって払い出された遊技球を検出する球貸しセンサ３０１Ｂが設けられている。賞球センサ３０１Ａの検出信号と球貸しセンサ３０１Ｂの検出信号は払出制御基板３７の払出制御用ＣＰＵに入力される。払出制御用ＣＰＵは、それらの検出信号にもとづいて、実際に払い出された遊技球の個数を計数する。
【００５６】
この実施の形態では、球払出装置を収容する賞球ケース４０Ａ（ケース１４０，１４１，１４２）および球通路２９３の側部の壁は、カーボンを８重量％含有したポリカーボネートで形成されている。従って、遊技球が通過する球通路２９３は導電性であり、球通路２９３の電位とそこを通過する遊技球の電位とは同じになる。また、球通路２９３の側部の壁と賞球ケース４０Ａとは接しているので、球通路を通過する遊技球と賞球ケース４０Ａとは同電位である。
【００５７】
さらに、図４に示すように、賞球ケース４０Ａの上部において、ステンレススチール製の押え金具２３１によって、賞球ケース４０Ａは機構板のベース体３６に固定される。従って、導電性の賞球ケース４０Ａとステンレススチール製の押え金具２３１とは接している。また、押え金具２３１には、配線２１４を介して、機構板の金具２０９に設けられている接続部（例えば、配線２１４の端部に設けられている金具をねじ止めするような構造）２１５と電気的に接続可能な接続部２１０が設けられている（図４および図５参照）。よって、賞球ケース４０Ａの電位は金具２０９の電位と同じになる。上述したように、金具２０９の電位は接地レベルになっているので、賞球ケース４０Ａの電位も接地レベルになっている。
【００５８】
球払出装置において、ケース１４０，１４１，１４２は、カーボンを８重量％含有したポリカーボネートで形成されているが、カーボンを含有した材料は燃焼性を有しているので、難燃性のステンレス繊維を含有する合成樹脂で形成してもよい。なお、ギア２０９，２９１は、遊技球とは接触しないので、導電性を有さない合成樹脂で形成されている。また、スプロケット２９２は遊技球が一時接触するだけであるから、やはり、導電性を有さない合成樹脂で形成されている。なお、ケース１４０，１４１，１４２の材料として、ＡＢＳ樹脂ではなくポリカーボネートを用いるのは、ポリカーボネートの方がＡＢＳ樹脂よりも耐摩耗性が高いからである。
【００５９】
以上に説明したように、上記の実施の形態の遊技機では、機構板に遊技媒体を払い出す払出機構が設置された構造において、機構部を構成する部材（上記の例では、機構板のベース体３６および遊技球の通路）が、ステンレス繊維を含有する合成樹脂で形成されている。従って、遊技機の難燃性が高まるとともに、遊技球の帯電防止の効果も向上する。特に、遊技媒体を払い出す払出機構において、遊技球が流れる球通路がステンレス繊維を含有する合成樹脂で形成されているので、帯電防止の効果は大きい。
【００６０】
また、上記の実施の形態では、遊技媒体を払い出す払出機構において、貯留タンク３８および誘導樋２０６はカーボンを８重量％含有するＡＢＳ樹脂で形成され、賞球ケース４０Ａはカーボンを８重量％含有するポリカーボネートで形成されていた。すなわち、遊技媒体の貯留、誘導および払出のための部材が導電性の合成樹脂で形成されているので、特に金属部品を用いなくても遊技球の接触部分における導電性を確保することができ、帯電防止対策を施すことができる。
【００６１】
また、貯留タンク３８、誘導樋２０６および賞球ケース４０Ａ等のカーボン含有合成樹脂による部材において、カーボン含有合成樹脂に接続部２１２，２２３が設けられていたり、カーボン含有合成樹脂に接触するように設けられている金属部材としての押え金具２３１等に、配線を接続するための接続部が設けられているので、カーボン含有合成樹脂による部材を接地するための配線作業が容易である。
【００６２】
なお、機構部における遊技媒体の接触部分の一部である貯留タンク３８、球払出装置内の球通路２９３および誘導樋２０６にカーボン含有合成樹脂を用いたが、それらにもステンレス繊維を含有する合成樹脂を用いてもよい。
【００６３】
また、上記の実施の形態では、機構部を構成する部材の一部がステンレス含有合成樹脂で形成されたが、機構部を構成する全ての部材をステンレス含有合成樹脂で形成してもよい。
【００６４】
図８は、帯電防止効果（静電気除去効果）を説明するための説明図である。図８（Ａ）は、遊技球４０１の通路にカーボン４０３を含有したカーボン含有合成樹脂４００を用い、カーボン含有合成樹脂４００が接地されている場合の従来例を示す。カーボン含有樹脂４００の比抵抗は一般に１０５〜１０７Ω・ｃｍ程度と大きく導電率は高くない。従って、遊技球４０１が帯電した場合、カーボン含有樹脂４００への電荷の移動の程度や接地板４０２への電荷の移動の程度は比較的小さい。すなわち、遊技球４０１が帯電した場合の放電効果は、図８（Ｂ）に示す場合に比べて小さい。
【００６５】
図８（Ｂ）は、ステンレス繊維４１３を含有する合成樹脂（ステンレス含有合成樹脂４１０）を用いた場合の例を示す。ステンレス含有合成樹脂４１０の比抵抗はカーボン含有合成樹脂４００の比抵抗に対して格段に小さく、金属板を合成樹脂内に埋め込んだ場合と同程度の電荷吸収性能を期待することができる。また、金属板を合成樹脂内に埋め込んだ場合と同程度に、静電気発生を防止する効果を期待できる。すなわち、カーボン含有合成樹脂４００を用いた場合に比べて、高い帯電防止効果を奏する。
【００６６】
なお、合成樹脂に対してステンレス繊維のみを含有させた場合には、合成樹脂自体の熱変形等に起因してステンレス繊維の接触が弱まって導電性が低下する可能性があることが報告されている。そのような可能性を排除するために、ステンレス含有合成樹脂にさらにカーボンを含有させたものを用いてもよい。すなわち、機構部を構成する部材を、ステンレス繊維およびカーボンを含有する合成樹脂で形成してもよい。また、合成樹脂に対してステンレス繊維のみを含有させた場合でもそのような合成樹脂は高いシールド性を示すのであるが、さらにカーボンを含有させた場合には、高温、低温が繰り返されるような環境下にあっても、シールド効果が低下しない。
【００６７】
図９は、機構板３６に取り付けられている各部材を、打球レール、払出制御基板３７およびカードユニット５０とともに示す結線図である。上述したように、打球レール（発射レール２０１、外レール２０２および内レール２０３）は、ステンレススチール製であり、かつ、発射レール２０１、外レール２０２および内レール２０３は、遊技が行われるときには電気的に導通している。
【００６８】
誘導樋２０６はカーボンを８重量％含有したＡＢＳ樹脂で形成され、かつ、誘導樋２０６にはアース板２２１が接触している。発射レール２０１と誘導樋２０６とは配線２０５で接続されている。また、誘導樋２０６は、配線２２４によって、機構板の金具２０９に接続された受け金具２２２に接続されている。金具２０９および受け金具２２２はステンレススチール製である。従って、打球レールおよび誘導樋２０６の電位は、機構板の金具２０９の電位と同じである。
【００６９】
貯留タンク３８はカーボンを８重量％含有したＡＢＳ樹脂で形成され、かつ、その一部にはアース板２１８取り付けられている。貯留タンク３８は、配線２１１によって、機構板の金具２０９に接続されている。よって、貯留タンク３８の電位は、機構板の金具２０９の電位と同じである。
【００７０】
また、賞球ケース４０Ａはカーボンを８重量％含有したポリカーボネートで形成されている。そして、ステンレススチール製の押え金具２３１が賞球ケース４０Ａに接している。さらに、押え金具２３１は、配線２１４によって、機構板の金具２０９に接続されている。よって、賞球ケース４０Ａの電位は、機構板の金具２０９の電位と同じである。
【００７１】
従って、発射装置から発射された遊技球の通路となる打球レール、払い出される遊技球の通路の主要部となる貯留タンク３８、球払出装置内の球通路２９３および誘導樋２０６の電位は、機構板の金具２０９および金具２０９が取り付けられている機構板のベース体３６の電位と同じである。金具２０９は、払出制御基板３７およびカードユニット５０を介して接地されている。よって、打球レール、貯留タンク３８、球払出装置内の球通路２９３、誘導樋２０６および機構板のベース体３６の電位は接地レベルである。
【００７２】
図９に明示されているように、遊技媒体と接触可能な位置（上記の例では、貯留タンク３８、誘導樋２０９等）に導電性合成樹脂部材が用いられ、さらに、導電性合成樹脂部材が間接的に接地されている。従来の静電気ノイズ対策として、遊技媒体と接触する位置に金属製のアース板を設ける方法があったが、そのような方法によると、帯電した遊技球がアース板と接触する際に急激に放電して、遊技機に設置されている制御基板内の電子回路に対して静電気ノイズとしての電磁妨害を与える可能性があった。しかし、上記の実施の形態のように、遊技媒体と接触可能な位置に導電性合成樹脂部材を配置するように構成すれば、急激な放電の発生が緩和され、制御基板内の電子回路に対して電磁妨害を与える可能性がなくなる。例えば、カーボン含有合成樹脂の比抵抗は１０５〜１０７Ω・ｃｍ程度と金属に比べて大きいので、急激な放電が発生することはない。
【００７３】
ただし、貯留タンク３８の一部において金属部材としての金属板（アース板）２１８が接触し、誘導樋２０６と接する位置に金属部材としての金属板（アース板）２２１が設置されている。従って、遊技球との間の急激な放電を防止しつつ、帯電した遊技球からの電荷移動の程度（静電気除去効果）がさらに高くなる。すなわち、遊技球の帯電防止効果は、貯留タンク３８や誘導樋２０９に導電性合成樹脂部材のみを用いた場合に比べて高くなっている。なお、金属板２１８，２２１が、貯留タンク３８や誘導樋２０６と直接に接触していなくても、それらと電気的な導通がとられていれば上記の効果を奏することができる。
【００７４】
また、導電性合成樹脂部材による貯留タンク３８、賞球ケース４０Ａおよび誘導樋２０６と接地部（カードユニット５０の接地）との間には、導電性合成樹脂部材と接地部とを電気的に接続可能な金属製の金具２０９が介在している。すなわち、各導電性合成樹脂部材から比較的近い箇所に設置されている金具２０９に対して配線を施し、金具２０９から一系統の配線を接地箇所まで引き延ばせばよい。従って、各導電性合成樹脂部材を直接接地する場合に比べて、接地のための配線が容易になっている。
【００７５】
さらに、遊技機において、機構部のみならず、打球供給皿（上皿）３および余剰玉受皿（下皿）４を含む遊技機における遊技媒体の通路部分もステンレス繊維を含有する合成樹脂で形成してもよい。すなわち、遊技機において、遊技機外部より遊技球が補給される貯留タンク３８、機構部、および遊技者に払い出された遊技球を貯留する打球供給皿（上皿）３および余剰玉受皿（下皿）４を含む通路部分をステンレス繊維を含有する合成樹脂で形成してもよい。また、そのような遊技球の通路部分における一部がステンレス繊維を含有する合成樹脂で形成されていても、通路部分の全てがステンレス繊維を含有する合成樹脂で形成されている場合と程度の差はあるものの、静電気除去効果を発揮させることができる。さらに、遊技機において、遊技盤６に設けられる構成部品（入賞装置や装飾部材等）も含む遊技球が接触しうる全ての部分をステンレス繊維を含有する合成樹脂で形成してもよい。
【００７６】
上記の実施の形態では、遊技球と接触可能な位置に配置された導電性合成樹脂部材として、貯留タンク３８、誘導樋２０６、払出装置の賞球ケース４０Ａ等を例示したが、遊技機におけるその他の遊技球接触箇所が、導電性を有する合成樹脂からなる導電性合成樹脂部材で形成され、その導電性合成樹脂部材が電気的に接地されるように構成してもよい。なお、導電性合成樹脂部材は、カーボンを含有した合成樹脂部材でもよいが、金属を含有した合成樹脂など導電性を有していればどのようなものであってもよい。さらに、導電性合成樹脂部材が配置される所定の部位として、遊技球と接触可能な位置を例示したが、そのような部位に限らず、他の箇所に導電性合成樹脂部材を配置してもよい。例えば、遊技球と接触可能な位置には金属その他の導電性の高い部材を配置し、そのような部材と接地との間に導電性合成樹脂部材を配置してもよい。
【００７７】
また、カーボンを含有した導電性合成樹脂部材と金属を含有した導電性合成樹脂部材との併用例として、機構部に設けられている貯留タンク３８、誘導樋２０６および払出装置の賞球ケース４０Ａ等（カーボンを含有した導電性合成樹脂部材）と機構板のベース体３８（導電性合成樹脂部材）とについて説明したが、カーボンを含有した導電性合成樹脂部材と金属を含有した導電性合成樹脂部材との併用は、そのような機構部における部材に限られず、遊技機における遊技球と接触可能な他の箇所において適用することもできる。
【００７８】
さらには、上記の実施の形態では、ステンレスを含有する合成樹脂としてステンレス繊維をフィラーとする合成樹脂が用いられたが、フィラーとしてフレーク状等のステンレススチールを含有する合成樹脂を用いてもよい。
【００７９】
なお、上記の各実施の形態のパチンコ遊技機１は、始動入賞にもとづいて可変表示部９に可変表示される特別図柄の停止図柄が所定の図柄の組み合わせになると所定の遊技価値が遊技者に付与可能になる第１種パチンコ遊技機であったが、始動入賞にもとづいて開放する電動役物の所定領域への入賞があると所定の遊技価値が遊技者に付与可能になる第２種パチンコ遊技機や、始動入賞にもとづいて可変表示される図柄の停止図柄が所定の図柄の組み合わせになると開放する所定の電動役物への入賞があると所定の権利が発生または継続する第３種パチンコ遊技機であっても、本発明を適用できる。
【００８０】
また、パチンコ遊技機に限られず、スロット機等においても、遊技媒体を払い出す払出機構が機構板に備えられている場合などには本発明を適用することができる。
【００８１】
【発明の効果】
請求項１記載の発明では、遊技機を、導電性合成樹脂部材が所定部位に配置されるとともに、導電性合成樹脂部材が電気的に接地されるように接地接続部が設けられた構成にしたので、そのような接地接続部を介して接地することによって、金属部材を設置し金属部材が直接接地されるように構成されている場合に比べて、大きな放電が緩和され、ノイズの発生を低減するとともに遊技媒体の帯電を解消することができる効果がある。また、記録媒体処理装置と通信を行うための配線ケーブルが接続される基板を備え、基板に、接地接続部に電気的に接続される第１のコネクタと、第１のコネクタと電気的に接続され、記録媒体処理装置の接地部に配線ケーブルを介して電気的に接続される第２のコネクタとが設けられているので、容易に遊技機側の接地必要箇所を接地することができる。
【００８２】
請求項２記載の発明では、遊技機を、遊技媒体と接触可能な位置に導電性を有する金属部材が配置され、金属部材と電気的に接続される部材であって導電性を有する合成樹脂からなる導電性合成樹脂部材が配置され、導電性合成樹脂部材が電気的に接地されるように接地接続部が設けられた構成にしたので、そのような接地接続部を介して接地することによって、金属部材が直接接地されるように構成されている場合に比べて、遊技媒体と接触部分との間の大きな放電が緩和され、ノイズの発生を低減するとともに遊技媒体の帯電を解消することができる効果がある。また、接触部分が導電性合成樹脂部材のみで形成されている場合に比べて、遊技媒体からの電荷移動の効果が大きくなることが期待され、帯電防止効果を増大させることができる。また、記録媒体処理装置と通信を行うための配線ケーブルが接続される基板を備え、基板に、接地接続部に電気的に接続される第１のコネクタと、第１のコネクタと電気的に接続され、記録媒体処理装置の接地部に配線ケーブルを介して電気的に接続される第２のコネクタとが設けられているので、容易に遊技機側の接地必要箇所を接地することができる。
【００８３】
請求項３記載の発明では、導電性合成樹脂部材が遊技媒体と接触しない位置に配置された金属部材と電気的に接続され、金属部材が電気的に接地されるように接地接続部が設けられた構成になっているので、遊技媒体と接触する部分を接地するための配線作業が容易である。
【００８４】
請求項４記載の発明では、貯留タンクが導電性合成樹脂部材となっているので、貯留タンクにおいて、遊技媒体が帯電していても、遊技媒体の電荷を効果的に移動させて帯電を解消することができる。
【００８５】
請求項５記載の発明では、樋部材が導電性合成樹脂部材となっているので、樋部材において、遊技媒体が帯電していても、遊技媒体の電荷を効果的に移動させて帯電を解消することができる。
【００８６】
請求項６記載の発明では、払出装置のケース体が導電性合成樹脂部材となっているので、払出装置のケース体において、遊技媒体が帯電していても、遊技媒体の電荷を効果的に移動させて帯電を解消することができる。
【００８７】
請求項７載の発明では、導電性合成樹脂部材の電気的抵抗が金属部材の電気的抵抗よりも大きいので、遊技媒体とその接触部分との間で急激な放電が生ずることが防止され、その結果、ノイズの発生が防止される。
【００８８】
請求項８記載の発明では、導電性合成樹脂部材がカーボンを含有した導電性合成樹脂であって、遊技媒体と接触部分との放電を緩和するための構造を安価に実現することができる。
【図面の簡単な説明】
【図１】  パチンコ遊技機を正面からみた正面図である。
【図２】  ガラス扉枠を取り外した状態での遊技盤の前面を示す正面図である。
【図３】  遊技機を裏面から見た背面図である。
【図４】  各種部材が取り付けられた機構板を遊技機背面側から見た背面図である。
【図５】  機構板を遊技機表側の斜め方向から見た斜視図である。
【図６】  機構板の下部を示す部分斜視図である。
【図７】  球払出装置の構成例を示す分解斜視図である。
【図８】  帯電防止効果を説明するための説明図である。
【図９】  機構盤に取り付けられている各部材を、打球レール、払出制御基板およびカードユニットとともに示す結線図である。
【符号の説明】
３６    機構板のベース体
３８    貯留タンク
３７    払出制御基板
３９    誘導レール
４０Ａ  賞球ケース
５０    カードユニット
２０１  発射レール
２０２  外レール
２０３  内レール
２０６  誘導樋
２０９  機構板の金具
２１８  アース板（金属板）
２２１  アース板（金属板）
２３１  押え金具
【図１】
0004712176.tif 000002
【図２】
0004712176.tif 000003
【図３】
0004712176.tif 000004
【図４】
0004712176.tif 000005
【図５】
0004712176.tif 000006
【図６】
0004712176.tif 000007
【図７】
0004712176.tif 000008
【図８】
0004712176.tif 000009
【図９】
0004712176.tif 000010